(57)【要約】      （修正有）【課題】底ふたのロックを確実に行い、ロックの状態から確実に解除させることができるボールロック式反転撒き餌カゴ装置を提供する。【解決手段】開口部２００を閉じた状態で鉛が充填された底ふた３０を止める第一止め金連結部３０１と、第一止め金連結部とは別に、開口部を閉じた状態で底ふたを止める第二止め金連結部を備える。第一止め金連結部の主体は金属製の蝶番８０である。また、第二止め金連結部のロックを行うのが、センターロッド１０に結ばれたケプラー繊維の紐４０の先端部に固定した金属玉７０であり、底ふたの側面に固定された２本のロックガイドピン６０の下側に金属玉をかみ合わせ、センターロッドを引き上げることで、蝶番の軸を支点として開口部を閉じて底ふたのロックを行なう。また、センターロッドを下方に動かすことで、金属玉がロックガイドピンから外れ底ふたのロックを解除する。【選択図】図１
0003203835.tif 000002
【実用新案登録請求の範囲】
【請求項１】
内部空間を区画する上部が円錐状の筒状のカゴ本体の上部中央に上下移動を可能としたセンターロッドを組み込み、当該センターロッドにケプラー紐を結び当該ケプラー紐の先端部に金属製の玉を固定さ、ケプラー紐の先端部の金属玉の部分が当該カゴ本体下部に蝶番によって連結された円錐形の底ふたの側面に水平に固定された２本のロックガイドピンの下側にかみ合わせることにより、センターロッドが上の位置にあるときにケプラー紐が引き上げられ底ふたのロックを行い、当該センターロットが下に移動するとケプラー紐も同時に下がることにより、当該底ふたのロックガイドピンにかみ合わされていた金属玉がロックガイドピンから外れ、当該底ふたのロック状態を解除としたところを特徴とするボールロック式反転撒き餌カゴ装置。
【考案の詳細な説明】
【技術分野】
【０００１】  この考案は、カゴ本体に組み込まれたセンターロッドが上下に移動することにより、底ふたのロック及び解除を行い、開口を通して撒き餌およびつき餌を海中に放出するボールロック式反転撒き餌カゴ装置に関し、特に開口を確実に開閉させるセンターロッドに結ばれたケプラー紐とボールの固定、解除する技術に関する。
【背景技術】
【０００２】  一般的に使用されている底ふたが反転するタイプのカゴの底ふたのロック及び解除方法として、底ふたに丸みを持たせた形状とし、カゴ本体と底ふたに隙間を設けることで、カゴが海面の着水時の衝撃を底ふたが受けて、カゴ本体と底ふたの隙間が無くなり、カゴ本体に取り付けられているステンレス鋼線を曲げてスプリングの作用を利用して底ふたにフックさせた状態からロック解除させている。そのために、カゴの底ふたは重くできず（重くするとロック状態を強くする必要ある。また、着水時の勢いが増し、意図した底ふたの動きを阻害することになる）、そのために、カゴ本体側に錘を取り付けるか、または、カゴ全体を金属の部材を用いて重量を確保している。また、カゴが投げ込まれるときの遠心力により内部のまき餌等が進行方向に押し付けられて、カゴ本体と底ふたの隙間に異物が挟まり、ロックが解除されず底ふたが反転しないことがある。更に、カゴの着水時の入水角度が極端に狭かったりするとロックが解除されない場合がある。また、海面が波打っている状態の時には着水時の衝撃が波間で弱まり同じようにロックが解除されず底ふたが反転しないことがある。そのため、底ふたがロック解除されない状態、すなわち、底ふたがステンレス鋼線のスプリング力で押えられているために、棚に到着後にカゴ全体を引き上げるなどカゴにショックを与えてもロックが解除されない弱点がある。
【考案の概要】
【考案が解決しようとする課題】
【０００３】  この考案は、カゴ本体に上下に動くセンターロッドを組み込み、センターロッドが上の位置にあるときは底ふたがロックし、着水と同時に、センターロッドが下の位置に移動することでロックを解除させ、更に、半ロックアームがカゴ本体内部を押さえ込むことによって底ふたの半ロック状態を維持作用させることで、海中を下降中には底ふたを反転させず、棚に着いた時点に確実に撒き餌等を放出させることができる技術を提供することを目的とする。
【課題を解決するための手段】
【０００４】  この考案の基本的な考え方は、カゴが着水までの第１段階では、カゴの開口部が確実に閉じた状態を維持した上、着水後の第２段階には、カゴの開口部が確実に開くことができる状態にすることにある。【０００５】  この考案を適用するボールロック式反転撒き餌カゴ装置は、カゴ（かご本体）が撒き餌およびつき餌を放出する開口をもち、その開口を底ふたが開閉可能にふさいでいる。底ふたは径方向の一端の第１端部が揺動支点側となり、その揺動支点側の径方向反対の第２端部が止め側になっている。【０００６】  この考案のボールロック式反転撒き餌カゴ装置は、底ふたの先端が鋭角の錘とすることで重心をカゴの先端とし空気抵抗を少なくさせることで、遠投を可能としている。また、カゴ本体に組み込まれた、センターロッドの動きで底ふたのロックと解除を作用させることで、撒き餌等をカゴ内部に確保させ、ロック状態を確実に解除することで、安定した撒き餌等の放出を行なっている。【０００７】  この考案では、センターロッドに結ばれたケプラー繊維の紐の先端に固定された金属製の玉が底ふたの第２端部の側面に固定された２本のロックガイドピンの下側に金属玉を引っかけ、センターロッドの上下の移動により底ふたのロック解除を担う構造である。このような構造により、着水時の異なる条件下に於いても、安定した底ふたの開閉、すなわち、同ロックと解除作動を確実なものとしている。また、底ふたの上面に先端部を湾曲させた半ロックガイドを固定させ、カゴ本体内部の側面部に押さえつけることで底ふたの半ロック状態を維持させている。【０００８】  カゴの大半をプラスチック製とし、屋根上部にカゴ本体内部の空気抜きの穴として数個の穴が施してある。また、カゴ本体の上部中央部に上下移動を可能としたセンターロッドが組み込まれている。なお、センターロッドの上部は天秤と連結させるための穴を設けている。また、底ふたは円錐形の部位に鉛を充填して錘としの機能を持たせている。【０００９】  第１端部の揺動支点部は、ステンレス鋼線をコの字に曲げ、その中央に折り曲げたステンレス板をはめ込み、ステンレス鋼線部を底ふたの上部に挿入固定させ、ステンレス板をカゴ本体の外側に固定することで蝶番の機能としている。反対側の第２端部の止め金部は、底ふたの上部側面に水平に２本のステンレス鋼線がロックガイドピンとして取り付けてある。【００１０】  第２端部の止め側の相手はカゴ本体中央に組み込まれた、センターロッドにケプラー繊維の紐を結び、紐の先端部に金属製の玉を固定させ、２本のロックガイドピンの間に紐を入れ金属玉をロックガイドピンの下側に引っ掛け、センターロッドを引き上げることで、底ふたのロック作用とし、開口部を完全に閉じさせている。【００１１】  着水時のカゴは海面からの抵抗を受けて、その速度を落とし海中に突入する。一方、センターロッドは海面からの抵抗を受けず、その速度を維持しようとする。したがって、センターロッドは、カゴ本体の内部天井に支えられていた力から開放され、縦軸方向の下方に動く力が働くことで、それまで、引き上げられていたセンターロッドに結ばれたケプラー紐が自由になることで、２本のロックガイドピンの間の金属玉が外れることになる。また��半ロックアームがカゴ本体内側に押さえつけることで底ふたの半ロック状態となる。【００１２】  この考案のボールロック式反転撒き餌カゴ装置は、センターロッドが上がった状態、すなわち、ケプラー紐先端部の金属玉が２本のロックガイドピンの下の位置で引き上げられている状況で投げ込まれるので、カゴが水面に達するまでは、開口部は確実に閉じた状態を保つ。そして、カゴが水面に達し、着水と同時にセンターロッドが下降し、センターロッドに結ばれたケプラー紐の金属玉がロックガイドピンから外れ、底ふたのロックが解除される。次に半ロックアームの先端部がカゴ本体内側に押さえつけられて、底ふたの半ロック状態となる。また、カゴを引き上げることで半ロック状態を解除させることが出来る。従って、海水面に着水するときのカゴに受ける衝撃力、入水角度、海面の悪条件およびカゴの向きにより、カゴに受ける条件が異なった状態に於いても安定した、カゴ本体と底ふたが閉じた状態からの解除が可能となり、狙いとする水深に撒き餌等を放出することができる。
【実施例】
【００１３】  図１は、遠投投げ釣りに適したボールロック式反転撒き餌カゴ装置の実施例を示す断面図である。ボールロック式反転撒き餌カゴ装置８０００は、大半がプラスチックであり、撒き餌を入れるための内部空間を区画するカゴ本体２０と、そのカゴ本体２０の下に位置する底ふた部材３０とカゴ本体２０に組み込まれたセンターロッド１０と、ケプラー紐４０と金属玉部材７０を備える。カゴ本体２０には、円筒形状の側壁部２１と、その側壁部２１の上方に円錐形状の屋根がある。屋根には数個の穴が開けてあり、また中央に、天秤と連結させるため、センターロッド部材１０がカゴの外に抜け出さないように下部がつぶされている状態で上下に動く仕組みで組み込まれている。【００１４】  カゴ本体２０の底部に開口部２００がある。その開口部２００を被うものが、先端が円錐上の底ふた部材３０である。底ふた部材３０が、開口部２００を閉じることによって、撒き餌等をカゴ本体２０の内部に閉じ込め、また、開口部２００を開放することによって、カゴ本体２０の内部の撒き餌等が開口部２００を通して海中に放出する。ボールロック式反転撒き餌カゴ装置８０００では、開口部２００が、撒き餌、つき餌を入れるための入口と放出するための出口とを兼ねている。また、底ふた部材３０は円錐状プラスチックの内部に鉛を充填し錘の機能とすることでカゴの重心を先端部になるようにしている。【００１５】  開口部２００を開閉可能にする底ふた部材３０は、開口部２００の径方向の一端の第１端部が揺動支点側３０１となり、底ふた部材３０の自重で開かせることができる。その揺動支点側３０１と径方向反対側の第２端部が止め金連結部となっている。【００１６】  第１端部の揺動支点側３０１は、１ｍｍのステンレス鋼線をコの字に曲げ、その中央に厚さ０，８ｍｍのステンレス板を折り曲げはめ込み、ステンレス鋼線部を底ふた３０の上部に圧入固定させ、ステンレス板をカゴ本体２０の外側に固定することで蝶番８０の機能としている。【００１７】  そのような第１端部の揺動支点側３０１に対して、径方向反対側の第２端部の止め金連結部は、カゴ本体２０中央に組み込まれた、センターロッド１０にケプラー繊維の紐を結び、ケプラー紐４０の先端部に中心に穴が貫通させた６ｍｍの金属玉７０を通し固定させ、底ふた３０の側面に１ｍｍのステンレス鋼線を２ｍｍ幅に２本ロックガイドピン６０として固定させ、この間にケプラー紐４０を入れ金属玉７０をロックガイドピン６０の下側に引っ掛けることで、開口部を完全に閉じさせた状態で底ふた３０をロックさせている。なお、ケプラー紐４０はカゴ本体２０の側壁部２１に固定されたガイド金具５０の内側に通されている。【００１８】  着水時の衝撃によりセンターロッド１０が下降することでケプラー紐４０が自由となり先端部の金属玉７０がロックガイドピン６０から外れ、底ふた３０のロックが解除される。次に底ふた３０は自重で開こうとするが底ふた３０に取り付けられた半ロックアーム３０２がカゴ本体２０の内側に押さえつけられて、底ふた３０の半ロック状態となる。なお、半ロックアーム３０２の先端部は外方向に曲げられているので、底ふた３０の重量によりずり落ちることは無い。また、半ロック状態を解除するには、カゴを引き上げることで半ロック状態を解除させることが出来る。【００１９】  センターロッド１０に引き上げられたカゴが投げ込まれると、その推進力によりケプラー紐４０は強い力で引っ張られるが素材がケプラー繊維のため、伸ばされることが無く金属玉７０はロックガイドピン６０に引っかかる。そして、着水時に海面からの衝撃を受けるとセンターロッド１０が下降することで連動して金属玉７０はロックガイドピン６０から外れ、底ふた３０のロックが解除される。勢いよく海中に投げ込まれたカゴがその勢いが弱くなると、底ふた３０の自重で、蝶番８０の軸を支点として反転しようとするがその力よりも、半ロックアーム３０２の曲げられた先端部がカゴ本体内側に押さえつける力が強いので、底ふた３０は反転せず半ロックの状態となる。その後、道糸に通された浮き部材の浮力によりカゴの下降が止まる。下降が止まった状態から釣竿をシャクルことで道糸が引かれ、カゴ全体が上に引き上げられた衝撃により、半ロックアーム３０２がカゴ本体２０内側からずれ外れて半ロックが解除され、底ふた３０が開き、開口部２００から撒き餌等を放出する。【００２０】  従って、カゴ本体が投げ込まれるときの遠心力により内部のまき餌等が進行方向に押し付けられても確実に開口部２００が閉じられている。同時に、海水面に着水するときのカゴの入水角度およびカゴの向き、衝撃力の強弱に関わらず、受ける条件が異なった状態に於いても安定した、カゴ本体２０と底ふた３０が閉じた状態からの解除が可能となり、棚に撒き餌等を放出することができるボールロック式反転撒き餌カゴ装置８０００である。【００２１】  図２Ａ〜２Ｃは、図１のボールロック式反転撒き餌カゴ装置８０００の作動を順次示す断面図である。図２Ａは、撒き餌とつき餌をカゴ本体２０の内部に入れ、開口部２００を閉じた状態を示している。すなわち、センターロッド１０を引き上げることで、ケプラー紐４０に結ばれた金属玉７０が、底ふた３０の側面に固定されているロックガイドピン６０の下部に引っかかった状態で底ふた３０も引きあがり閉じた状態となる。このようにして開口部２００が完全に閉じた状態となる。この状態でボールロック式反転撒き餌カゴ装置８０００は海に向かって投げ込まれ、飛行中の推進力が強くカゴに働き、より一層センターロッド１０が引かれることになり、底ふた３０は隙間なく閉じ、開口部２００が完全に閉じている。【００２２】  図２Ｂは、ボールロック式反転撒き餌カゴ装置８０００が海面に着水した直後の状態を示している。底ふた３０が着水時の衝撃を海面から受けると、カゴ本体２０に組み込まれたセンターロッド１０が下降することで連動して金属玉７０はロックガイドピン６０から外れ、底ふた３０のロックが解除される。そして、カゴがその勢いが弱まると、蝶番８０の軸が揺動支点となり、底ふた３０の重みで開口部２００を開こうとするが半ロックアーム３０２がカゴ本体２０の内側に押さえつけられているために開くことがない。この状態でカゴは海中を下降する。この時、必要以上にケプラー紐４０が暴れないように側壁部２１に取りつれられているガイド金具５０の内側に通されている。【００２３】  図２Ｃは、ボールロック式反��撒き餌カゴ装置８０００が狙いとする水深に達した状態を示している。道糸に通された浮き部材が浮き止め糸によって固定されると、浮き部材の浮力により、カゴの下降が止まる。このときに釣竿をシャクルことで道糸が引かれ、カゴ全体が上に引き上げられた衝撃により、半ロックアーム３０２がカゴ本体２０の内側からずれ外れて底ふた３０の半ロックが解除され、底ふた３０が開き、開口部２００から撒き餌等を放出する。この考案のボールロック式反転撒き餌カゴ装置８０００は、釣竿をシャクルことで開口部２００を全開にさせて撒き餌およびつき餌を放出させる。
【図面の簡単な説明】
【００２４】
【図１】この考案の実施例を示す断面図である。
【図２Ａ】ロック状態を示す断面図である。
【図２Ｂ】センターロッドが下がり、ロック解除の状態を示す断面図である。
【図２Ｃ】底ふたが開いた状態を示す断面図である。
【符号の説明】
【００２５】８０００  ボールロック式反転撒き餌カゴ装置
１０      センターロッド                    ２００    開口部
２０      カゴ本体                          ２１      側壁部
３０      底ふた                            ３０１    揺動支点側
４０      ケプラー紐                        ３０２    半ロックアーム
５０      ガイド金具
６０      ロックガイドピン
７０      金属玉
８０      蝶番
【図１】
0003203835.tif 000003
【図２Ａ】
0003203835.tif 000004
【図２Ｂ】
0003203835.tif 000005
【図２Ｃ】
0003203835.tif 000006